(57)【特許請求の範囲】
【請求項１】
魚形状の金属プレートからなるルアー本体の頭部と、これより尾部側に重錘体を分散して接合すると共に、両重錘体間のルアー本体の背部に、複数の釣糸接続孔を当該ルアー本体の前後方向に設けたことを特徴とするルアー。
【請求項２】
重錘体は、ルアー本体の頭部と腹部に接合されていることを特徴とする請求項１に記載のルアー。
【請求項３】
尾部側の重錘体は、上面が水流を受ける抵抗面として機能することを特徴とする請求項１または請求項２に記載のルアー。
【請求項４】
尾部側の重錘体は断面山形状に成形されて、その上面がなだらかな曲面形状となった平面形状略ひし形に成形されていることを特徴とする請求項３に記載のルアー。
【発明の詳細な説明】
【０００１】
【発明の属する技術分野】
本発明は、金属製プレートからなるルアー本体に重錘体を接合したルアーに関する。
【０００２】
【従来の技術】
ルアーフィッシングに用いるルアーとして、従来、図６及び図７に示すように魚形状の金属プレートからなるルアー本体１の頭部に、鉛や合金からなる重錘体３を恰も魚の頭部の如き形状を以って肉厚に鋳造すると共に、ルアー本体１の背部に複数の釣糸接続孔５を前後方向に設け、そして、頭部の下部と尾部に釣針取付孔７，９を設けて全体に魚模様を施した、所謂“メタルバイブレーションルアー”と称される遠投に適したルアー１１が知られている。
【０００３】
そして、釣糸を接続する釣糸接続孔５の位置を変えて前後方向の重量バランスを変化させることで、ルアー１１の沈下姿勢や動き（ルアーアクション）を変化させるようになっている。
【０００４】
【発明が解決しようとする課題】
しかし乍ら、上記ルアー１１は、単一の重錘体３がルアー本体１の頭部に接合されて重量が頭部側に集中している構造上、釣糸接続孔５の位置を変えて釣糸を接続しても沈下姿勢に大きな変化は見られず、このため、ルアー１１の動きを大きく変えることができないのが実情であった。
【０００５】
尚、実公昭４６−３３８７４号公報には、図８乃至図１０に示すように複数の貫通孔１３，１５が上下方向に設けられた薄肉な金属プレートからなるルアー本体１７と、上記貫通孔１３，１５に挿着される挿入片（重錘体）１９，２１とで構成されたルアー２３が開示されており、ルアー本体１５の上部と下部に、夫々、取付環２５を介して釣糸（図示せず）と釣針２７が取り付けられている。
【０００６】
そして、上記挿入片１９，２１は鉛や錫で成形されており、その形状や大きさ，重量等を変えて沈下速度や動きを変化させるようになっている。
しかし、上記ルアー２３は、釣糸を接続する部分が一箇所であるため、挿入片１９，２１の形状や大きさを変えても、ルアー２３の沈下姿勢や動きを大きく変化させることは難しいのが実情であった。
【０００７】
本発明は斯かる実情に鑑み案出されたもので、従来に比し沈下姿勢や動きを大きく変えることのできるルアーを提供することを目的とする。
【０００８】
【課題を解決するための手段】
斯かる目的を達成するため、請求項１に係るルアーは、魚形状の金属プレートからなるルアー本体の頭部とこれより尾部側に、重錘体を分散して接合すると共に、両重錘体間のルアー本体の背部に、複数の釣糸接続孔を当該ルアー本体の前後方向に設けたことを特徴とする。
【０００９】
そして、請求項２に係る発明は、請求項１に記載のルアーに於て、重錘体が、ルアー本体の頭部と腹部に接合されていることを特徴とし、請求項３に係る発明は、請求項１または請求項２に記載のルアーに於て、尾部側の重錘体は、上面が水流を受ける抵抗面として機能することを特徴とする。
【００１０】
また、請求項４に係る発明は、請求項３に記載のルアーに於て、尾部側の重錘体は断面山形状に成形されて、その上面がなだらかな曲面形状となった平面形状略ひし形に成形されていることを特徴とする。
【００１１】
（作用）
各請求項に係るルアーをキャスティングすると、ルアーはその重量によって遠くへ飛んで速い速度で水中に沈下していく。
【００１２】
そして、釣糸接続孔への釣糸の接続位置を変えることで、ルアーの前後の重量バランスが大きく変わってルアーの沈下姿勢が大きく変わり、ルアーを引っ張った際にルアーの動きが変化する。
また、請求項３及び請求項４に係る発明によれば、尾部側の重錘体の上面が水流を受ける抵抗面として機能するため、釣糸の接続位置を変えてルアーの沈下姿勢を変えることで、ルアーの動きや通過する水深が更に大きく変化する。
そして、請求項４に係る発明によれば、重錘体が受けた水流が側方と後方へスムーズに流れていくこととなる。
【００１３】
【発明の実施の形態】
以下、本発明の実施形態を図面に基づき詳細に説明する。
図１乃至図５は請求項１乃至請求項４に係るルアーの一実施形態を示し、図中、３１は魚形状に形成された金属プレートからなるルアー本体で、その頭部の下部と尾部に、夫々、釣針取付孔３３，３５が形成されており、両釣針取付孔３３，３５に、夫々、図示しない取付環を介して釣針が取り付けられるようになっている。
【００１４】
そして、ルアー本体３１の頭部に、図６に示す従来例と同様、鉛や合金からなる重錘体３７が恰も魚の頭部の如き形状を以って肉厚に鋳造されている。
また、上記重錘体３７より尾部側のルアー本体３１の腹部には、上記重錘体３７と同一材料を用いて肉厚な重錘体３９が鋳造されており、図１乃至図３に示すように重錘体３９は、受けた水流を側方と後方へスムーズに流すことができるように断面山形状に成形されて、その上面３９ａがなだらかな曲面形状となった平面形状略ひし形に成形されており、その上面３９ａが水流を受ける抵抗面として機能するようになっている。
【００１５】
更に、図１に示すように前記重錘体３７，３９間のルアー本体３１の背部には、３つの釣糸接続孔４１，４３，４５が前後方向に設けられており、最後部の釣糸接続孔４５は重錘体３９の後端部３９ｂよりルアー本体３１の頭部側に配置されている。そして、図４に示すように最前部の釣糸接続孔４１に釣糸４７を接続すると、前後の重量バランスが取れてルアー４９は略水平状態を取り、そして、釣糸４７の接続位置を順次釣糸接続孔４３，４５に変えていくと、図５に示すようにルアー４９は、順次頭部側を大きく下げた姿勢を取るようになっている。
【００１６】
そして、図示しないが本実施形態に係るルアー４９も、従来と同様、全体に魚模様が施されている。
本実施形態に係るルアー４９はこのように構成されているから、当該ルアー４９をキャスティングすると、従来と同様、ルアー４９はその重量によって遠くへ飛び、速い速度で水中に沈下していく。
【００１７】
そして、図４に示すように釣糸４７を釣糸接続孔４１に接続した場合、ルアー４９は略水平姿勢を取って水中を沈下していくが、図５の如く釣糸４７を釣糸接続孔４５に接続してこれをキャスティングした場合には、ルアー４９は頭部側を大きく下げた姿勢で水中を沈下していくこととなる。そして、既述したように重錘体３９は断面山形状に成形されて、水流を受ける抵抗面である上面３９ａがなだらかな曲面形状となった平面形状略ひし形に成形されているため、図５の沈下姿勢にあるルアー４９を釣糸４７を介して釣人が引っ張ると、重錘体３９は受けた水流を側方と後方へスムーズに流すが、図４の沈下姿勢の場合に比し重錘体３９の上面３９ａにかかる水流の抵抗が大きくなるため、ルアー４９は大きく左右にぶれて水中を泳ぐこととなる。
【００１８】
而も、上述したように図４の沈下姿勢に比し図５の沈下姿勢では重錘体３９の上面３９ａにかかる水流の抵抗が大きいため、同じ力でルアー４９を引いた場合、図５の状態にあるルアー４９の方が水流の抵抗によってより深い水深を泳ぐこととなる。
【００１９】
このように本実施形態は、ルアー本体３１の頭部と腹部に重錘体３７，３９を分散させて、複数の釣糸接続孔４１，４３，４５を両重錘体３７，３９間に配置したので、釣糸４７の接続位置を変えることによって、釣人の好みに応じてルアー４９の沈下姿勢を大きく変えることができる。
そして、腹部の重錘体３９を、受けた水流を側方と後方へスムーズに流すことができるように断面山形状に成形し、且つその上面３９ａがなだらかな曲面形状となる平面形状略ひし形に成形して、当該上面３９ａを水流を受ける抵抗面として機能させたので、沈下するルアー４９を引いた際に、重錘体３９は受けた水流を側方と後方へスムーズに流すが、重錘体３９の上面３９ａが受ける水流の抵抗が沈下姿勢に応じて変化するため、釣糸４７の接続位置を変えて沈下姿勢を変えることで、ルアー４９の動きや通過する水深を大きく変化させることが可能となって、従来に比し釣果が向上することとなる。
【００２０】
また、図５の如く頭部側を大きく下げた姿勢を取れば、釣針取付孔３５が上方に持ち上げられて根掛かりが防止できるし、図４の如くルアー４９を水平状態に保てば釣糸４７が釣針に絡みにくくなる等の効果を有する。
尚、上記実施形態では、重錘体３９をルアー本体３１の腹部に接合したが、その接合位置は腹部に限定されるものではなく、例えばルアー本体３１の尾部側や側部側に接合することも可能で、必要とされるルアーの沈下姿勢や動きに応じ適宜設計変更可能である。
【００２１】
また、上記実施形態では、３つの釣糸接続孔４１，４３，４５を両重錘体３７，３９間に配置して、最後部の釣糸接続孔４５を重錘体３９の後端部３９ｂよりルアー本体３１の頭部側に配置したが、その数や位置は上記実施形態に限定されるものではない。
【００２２】
【発明の効果】
以上述べたように、請求項１及び請求項２に係るルアーによれば、釣糸の接続位置を変えることで、従来に比しルアーの沈下姿勢を大きく変化させることができるため、ルアーを引っ張った際のルアーの動きを大きく変化させることが可能となって、従来に比し釣果が向上する利点を有する。
【００２３】
そして、請求項３及び請求項４に係るルアーによれば、尾部側の重錘体の上面が水流を受ける抵抗面として機能するため、釣糸の接続位置を変えてルアーの沈下姿勢を変えることで、ルアーの動きや通過する水深を更に大きく変化させることが可能となって、従来に比し釣果が向上し、更に請求項４に係る発明によれば、重錘体が受けた水流を側方と後方へスムーズに流すことができる利点を有する。
【００２４】
また、上述の如く沈下姿勢を大きく変えることができるため、ルアーの頭部側を大きく下げた姿勢を取れば根掛かりが防止できるし、ルアーを水平状態に保てば釣針への釣糸の絡みを防止できるといった効果が得られる。
【図面の簡単な説明】
【図１】請求項１乃至請求項４の一実施形態に係るルアーの正面図である。
【図２】図１に示すルアーの平面図である。
【図３】図２のIII−III線断面図である。
【図４】釣糸を最前部の釣糸接続孔に接続した場合のルアーの正面図である。
【図５】釣糸を最後部の釣糸接続孔に接続した場合のルアーの正面図である。
【図６】従来のルアーの正面図である。
【図７】図６に示すルアーの平面図である。
【図８】従来の他のルアーの正面図である。
【図９】図８のIX−IX線断面図である。
【図１０】挿入片の取付方法を示す図８のルアーの断面図である。
【符号の説明】
３１  ルアー本体
３７，３９  重錘体
４１，４３，４５  釣糸接続孔
４７  釣糸
４９  ルアー
【図１】
0003645753.tif 000002
【図２】
0003645753.tif 000003
【図３】
0003645753.tif 000004
【図４】
0003645753.tif 000005
【図５】
0003645753.tif 000006
【図６】
0003645753.tif 000007
【図７】
0003645753.tif 000008
【図８】
0003645753.tif 000009
【図９】
0003645753.tif 000010
【図１０】
0003645753.tif 000011